(57)【特許請求の範囲】
【請求項１】
幼児が座る座部及び該座部の左右両側に配置された袖壁部を有し、自動車の座席に固定設置されるチャイルドシートにおいて、
該チャイルドシートは、該座部に座った幼児及び該チャイルドシートの前面に沿って大人用シートベルトが引き回されることにより、幼児が該チャイルドシートに保持されるように構成されたものであり、
該袖壁部に、大人用シートベルトが挿通される凹部が該袖壁部の上面から凹設されており、
該凹部を埋める着脱部材を備えたチャイルドシートであって、
該着脱部材は該凹部に着脱自在であり、
該チャイルドシートは、左右の袖壁部の間に跨るように該袖壁部に載置可能なインパクトシールドを備えており、
該インパクトシールドを該袖壁部に載置した状態において、該インパクトシールドの前面には、前記大人用シートベルトが挿通される溝が設けられており、
幼児を該インパクトシールドと大人用シートベルトとによってチャイルドシートに保持する場合には、該凹部に該着脱部材を装着して該凹部を埋め、該インパクトシールドの溝に該大人用シートベルトを挿通し、該大人用シートベルトを該チャイルドシート及び幼児の前面に沿って引き回すと共に、該インパクトシールドを、幼児の前方において、左右の袖壁部の間に跨るように該袖壁部に載置し、
幼児を大人用シートベルトによって直接的にチャイルドシートに保持する場合には、該凹部に該着脱部材を装着せずに、該大人用シートベルトを該チャイルドシート及び幼児の前面に沿って引き回し、該大人用シートベルトのうち左右の袖壁部と重なる部分をそれぞれ該凹部に挿通することを特徴とするチャイルドシート。
【請求項２】
請求項１において、前記着脱部材は、前記凹部に装着されて該凹部を埋めた際に、その上面と前記袖壁部の上面とが略面一となり、一連の平坦な上面を形成するように構成されていることを特徴とするチャイルドシート。
【請求項３】
請求項１又は２において、該インパクトシールドは、
幼児の体を受け止めるためのクッション部と、
該インパクトシールドの左右両側に設けられており、それぞれ袖壁部の上面に載置されて該インパクトシールドを支持するインパクトシールド支持部と
を有しており、
各インパクトシールド支持部の上部に前記溝が設けられていることを特徴とするチャイルドシート。
【請求項４】
請求項１ないし３のいずれか１項において、該着脱部材の前部及び後部にそれぞれ１対の突片が設けられており、
該着脱部材が前記凹部に装着されたときに、前記袖壁部の該凹部に臨んでいる前側及び後側の各端部が、それぞれ、該着脱部材の前部側の突片同士及び後部側の突片同士によって挟持されるように構成されていることを特徴とするチャイルドシート。
【請求項５】
請求項４において、該着脱部材の各突片と、該袖壁部のうち、該着脱部材が前記凹部に装着されたときに各突片が重なる部分とには、それぞれ、互いに係合するホックが取り付けられていることを特徴とするチャイルドシート。
【請求項６】
請求項１ないし５のいずれか１項において、該着脱部材はカバーで被覆されていることを特徴とするチャイルドシート。
【請求項７】
請求項６において、該着脱部材は、前記カバーと、該カバー内に挿入された充填体とを備えており、
該カバーは、該充填体の上下面及び前後面を取り囲んで該充填体を保持するポケット部と、該ポケット部の左右の側面を閉鎖する１対のサイドパネルとを有しており、
各サイドパネルの内部には、それぞれ、補強ないし保形用の板状部材が設けられており、
各サイドパネルは、その上側の辺縁部がそれぞれ該ポケット部の上側の左右の辺縁部と一体に連結されており、該上側の辺縁部を回動中心として該ポケット部の側面に対し接離するように上下方向回動可能となっており、
各サイドパネルの下部には、それぞれ、各サイドパネルが該ポケット部の側面を閉鎖した状態において、各サイドプレートの下部同士を接続する接続片が設けられており、
各サイドパネルの前部及び後部は、それぞれ、各サイドパネルが該ポケット部の側面を閉鎖した状態において、該ポケット部の前部及び後部から延出して突片を形成しており、
該着脱部材が前記凹部に装着されたときには、前記袖壁部の該凹部に臨んでいる前側及び後側の各端部が、それぞれ、各サイドパネルの前部側の突片同士及び後部側の突片同士によって挟持されるように構成されていることを特徴とするチャイルドシート。
【請求項８】
請求項１ないし７のいずれか１項において、前記着脱部材は、該着脱部材が凹部に装着されたときに前記座部側とチャイルドシートの外側との空気の流通を許容するように構成されていることを特徴とするチャイルドシート。
【請求項９】
請求項８において、該着脱部材は、着脱部材本体と、該着脱部材本体を覆ったカバーとを有しており、
該着脱部材本体は、中空の箱形のものであり、該着脱部材本体の左右の側壁にそれぞれ通気口が設けられており、各側壁の該通気口同士は、着脱部材本体の内部の中空部分を通じて互いに連通しており、
該カバーは、通気性を有する材料により構成されており、これにより、該カバー及び該着脱部材本体の該通気口を通じて、該着脱部材の左右両側の空気の移動が可能となっていることを特徴とするチャイルドシート。
【請求項１０】
請求項９において、該着脱部材本体は、左半部及び右半部と、これらを連結したヒンジ部とを有しており、
該左半部及び右半部は、それぞれ該着脱部材本体の左右の側壁をなすパネルを有しており、各パネルには、それぞれ貫通孔よりなる前記通気口が設けられており、各パネルの周縁部には、それぞれ該パネルの周囲を取り囲む周壁が立設されており、該左半部及び右半部の周壁の一頂縁部同士が前記ヒンジ部にて連結されており、一方の該周壁の頂縁部から爪が突設され、他方の周壁の頂縁部付近に係止孔が設けられており、
該着脱部材本体を組み立てるには、該ヒンジ部を折り曲げて、左半部及び右半部の各周壁の対応する頂縁部同士を重ね合わせ、該爪と該係止孔とを係合させるように構成されており、
該着脱部材の前部には、左右のパネルの延長方向に沿って前方に延出した一対の突片が設けられており、該着脱部材が前記凹部に装着されたときには、前記袖壁部の該凹部に臨んでいる端部が該突片同士によって挟持されるように構成されていることを特徴とするチャイルドシート。
【発明の詳細な説明】
【０００１】
【発明の属する技術分野】
本発明は、自動車の座席に設置されるチャイルドシートに係り、特に、大人用シートベルトがチャイルドシートの座部に沿って引き回されるタイプのチャイルドシートに関する。
【０００２】
【従来の技術】
自動車の座席に設置されて、車両の衝突時等の緊急時に幼児を保護するためのチャイルドシートとして幾つかのものが提案されている。この１つとして、チャイルドシート本体を自動車の座席に固定設置して幼児を着席させ、次いで車両本体に備え付けの大人用シートベルトをこのチャイルドシート本体並びに幼児の前面に沿って取付けることによって幼児の体をチャイルドシートに保持し、幼児を衝撃等から保護するものがある。
【０００３】
このようなタイプのチャイルドシートは、通常、チャイルドシート本体に自動車の座席への固定設置手段が設けられている。この固定設置手段を用いて、あらかじめチャイルドシート本体を自動車の座席に固定設置する。その後、このチャイルドシート本体に設けられた座部に幼児を座らせ、次いで、車両本体に備え付けの大人用シートベルトを、チャイルドシート本体並びに座部に座っている幼児の前面に沿って引き回し、同じく車両に備え付けのシートベルト用バックル装置にシートベルトのタングを接続する。
【０００４】
この際、チャイルドシートに座った幼児の体が小さいために大人用シートベルトを引き回しただけでは十分に幼児の体をチャイルドシートに保持できないときには、シートベルトの幼児の体と重なる部分にインパクトシールドを装着し、このインパクトシールドとシートベルトとで幼児の体をチャイルドシートに保持する場合がある。
【０００５】
なお、一般的に、幼児の体格は、体重別に２つのグループに大別されている。
１つは、体重が９〜１８ｋｇの比較的体の小さい幼児のグループ（以下、このようなグループを「第１のグループ」と称する場合がある。）であり、もう一つは、体重が１５〜２５ｋｇで比較的体が大きい幼児のグループ（以下、このようなグループを「第２のグループ」と称する場合がある。）である。
【０００６】
このようなチャイルドシートは、多くの場合、この第２のグループに属するような比較的体の大きな幼児が座る場合には大人用シートベルトのみによって直接的に幼児の体をチャイルドシートに保持し、第１のグループに属するような比較的体の小さい幼児が座る場合にはシートベルトにインパクトシールドを装着し、このインパクトシールドとシートベルトとによって幼児の体をチャイルドシートに保持するように構成されている。
【０００７】
このようにチャイルドシート本体を自動車の座席に固定設置し、このチャイルドシートの座部に幼児を座らせてチャイルドシート及び幼児の前面に沿ってシートベルトを引き回した状態にあっては、車両走行中の衝突時等の緊急時には、シートベルトの一端が接続され、且つこのシートベルトの巻き取り及び繰り出し等の機能を有するシートベルトリトラクタがロック状態（シートベルトリトラクタに設けられ、シートベルトが巻回されているリールの回動が阻止された状態。）となる。
【０００８】
この結果、衝突時の慣性力等によって幼児の体が前方へ移動してもシートベルトが引き出されることはなく、シートベルト又はシートベルトに装着されたインパクトシールドが幼児の体を受けとめて衝撃を吸収する。
【０００９】
このようなチャイルドシートによると、幼児の体格に合わせて、車両本体の大人用シートベルトによって直接的に、或いはシートベルトとこのシートベルトに装着されたインパクトシールドとによって幼児の体をチャイルドシートに保持することができ、様々な体格の幼児を幅広く、且つしっかりと保護することができる。また、このようなチャイルドシートでは、車両本体に設けられたシートベルトとは別のシートベルト装置をチャイルドシート本体に設ける必要がないため、構造が簡単で緊急時の保護能力についても信頼性が高く、コスト面での利点も大きい。
【００１０】
このようなチャイルドシートにおいては、シートベルトに装着されるインパクトシールドとして、以下に示す３つのタイプのものが広く用いられている。
【００１１】
１つは、シートベルトに装着されてこのシートベルトと共に幼児の前面側に引き回された後、幼児の大腿部に載せられて幼児に抱きかかえられるように配置されるタイプのインパクトシールド（以下、このようなインパクトシールドを「第１のタイプのインパクトシールド」と称する場合がある。）である。
【００１２】
もう１つは、その左右の両端側に下方に向かって延出する袖壁部を有しており、シートベルトに装着されてこのシートベルトと共に幼児の前面側に引き回された後に、この袖壁部によって支えられて幼児の体を跨ぐようにチャイルドシートに設置されるタイプのインパクトシールド（以下、このようなインパクトシールドを「第２のタイプのインパクトシールド」と称する場合がある。）である。
【００１３】
さらにもう１つは、チャイルドシートの座部の左右両側に、インパクトシールドを載置することが可能な袖壁部が設けられており、シートベルトに装着されてこのシートベルトと共に幼児の前面側に引き回された後、これらの左右の袖壁部の間に跨がるように袖壁部に載置されるタイプのインパクトシールド（以下、このようなインパクトシールドを「第３のタイプのインパクトシールド」と称する場合がある。）である。
【００１４】
なお、この第３のタイプのインパクトシールドを備えたチャイルドシートにあっては、比較的体の大きな幼児がこのチャイルドシートに座った場合において、前述のように、シートベルトにインパクトシールドを装着せずにシートベルトをチャイルドシートに沿って引き回した際には、シートベルトが座部の左右両側に配置された袖壁部に引っ掛かり、該シートベルトを幼児の体に緊密に重なるように配置することができず、シートベルトのホールド性が低下して十分に幼児の体をチャイルドシートに保持することができない恐れがある。このようなことを避けるために、袖壁部に、その上面から凹部を凹設し、この凹部にシートベルトを挿通することにより、シートベルトが袖壁部に引っ掛かることなく確実に幼児の体に緊密に重なって配置されるように構成される場合もある。
【００１５】
【発明が解決しようとする課題】
このような第１のタイプのインパクトシールドを備えたチャイルドシートにあっては、実質的にインパクトシールドはチャイルドシート本体等によって支持されていないため、設置後のインパクトシールドの安定性は極めて低く、このインパクトシールドを長時間使用した際には、幼児に圧迫感や疲労感を与える場合があった。
【００１６】
第２のタイプのインパクトシールドを備えたチャイルドシートにあっては、このインパクトシールドは、その左右両端側に設けられた袖壁部によって支えられており、設置後の安定性が高く、インパクトシールドの重さ等による幼児への負担もないため、長時間使用してもインパクトシールドが幼児に圧迫感や疲労感を与えることがない。しかしながら、このタイプのインパクトシールドを備えたチャイルドシートは、インパクトシールド使用時の見栄えがあまり良くないために、外観的に好まれない場合があった。
【００１７】
第３のタイプのインパクトシールドを備えたチャイルドシートにあっては、インパクトシールドは座部の左右両側に配置された袖壁部によって支えられており、第２のタイプのインパクトシールドと同様に、設置後のインパクトシールドの安定性が高い。また、インパクトシールド使用時の見栄えもよく、外観的に最も好まれるものである。しかしながら、前述のように、座部の左右両側に袖壁部が配置されたことにより、比較的体の大きい幼児がこのチャイルドシートに座った場合において、シートベルトにインパクトシールドを装着せずにシートベルトをチャイルドシートに沿って引き回した際には、シートベルトが袖壁部に引っ掛かってしまい、シートベルトを幼児の体に緊密に重なるように配置することが難しく、シートベルトのホールド性が低下するために幼児の体が十分にチャイルドシートに保持できない場合があった。
【００１８】
また、このようなことを避けるために袖壁部の上面からシートベルト挿通用の凹部を凹設したチャイルドシートにあっては、インパクトシールドを装着せずにシートベルトをチャイルドシートに沿って引き回した場合には、シートベルトの袖壁部と重なった部分をこの凹部に挿通することによりシートベルトが幼児の体に対して緊密に重なるように配置され、しっかりと幼児の体をチャイルドシートに保持することができるが、シートベルトにインパクトシールドを装着してこのインパクトシールドを袖壁部の上面に載置した場合においては、インパクトシールドの一部が凹部に落ち込んでインパクトシールドが傾いた状態となってしまうなど、インパクトシールドを設置するにあたって当該インパクトシールドの安定性が損われる場合があった。
【００１９】
本発明は、このような問題点に鑑みてなされたものであって、大人用シートベルトが座部に沿って引き回されるタイプのチャイルドシートにおいて、インパクトシールドを設置した際の見栄えが良く、且つ設置後のインパクトシールドの安定性に優れると共に、インパクトシールドを設置せずにシートベルトをチャイルドシートに沿って引き回した場合においても確実に幼児の体を保持することができるチャイルドシートを提供することを目的とする。
【００２０】
【課題を解決するための手段】
本発明のチャイルドシートは、幼児が座る座部及び該座部の左右両側に配置された袖壁部を有し、自動車の座席に固定設置されるチャイルドシートにおいて、該チャイルドシートは、該座部に座った幼児及び該チャイルドシートの前面に沿って大人用シートベルトが引き回されることにより、幼児が該チャイルドシートに保持されるように構成されたものであり、該袖壁部に、大人用シートベルトが挿通される凹部が該袖壁部の上面から凹設されており、該凹部を埋める着脱部材を備えたチャイルドシートであって、該着脱部材は該凹部に着脱自在であり、該チャイルドシートは、左右の袖壁部の間に跨るように該袖壁部に載置可能なインパクトシールドを備えており、該インパクトシールドを該袖壁部に載置した状態において、該インパクトシールドの前面には、前記大人用シートベルトが挿通される溝が設けられており、幼児を該インパクトシールドと大人用シートベルトとによってチャイルドシートに保持する場合には、該凹部に該着脱部材を装着して該凹部を埋め、該インパクトシールドの溝に該大人用シートベルトを挿通し、該大人用シートベルトを該チャイルドシート及び幼児の前面に沿って引き回すと共に、該インパクトシールドを、幼児の前方において、左右の袖壁部の間に跨るように該袖壁部に載置し、幼児を大人用シートベルトによって直接的にチャイルドシートに保持する場合には、該凹部に該着脱部材を装着せずに、該大人用シートベルトを該チャイルドシート及び幼児の前面に沿って引き回し、該大人用シートベルトのうち左右の袖壁部と重なる部分をそれぞれ該凹部に挿通することを特徴とするものである。
【００２１】
かかる本発明のチャイルドシートでは、チャイルドシート本体を自動車の座席に固定設置し、このチャイルドシート本体の座部に幼児を座らせた後、このチャイルドシート本体及び幼児の体の前面側に自動車の大人用シートベルトを引き回す場合には、シートベルトの袖壁部と重なった部分をシートベルト挿通用の凹部に挿通することにより、シートベルトが幼児の体から離隔して配置されることが防止される。これにより、シートベルトは確実に幼児の体に緊密に重なるように配置され、幼児の体をしっかりとチャイルドシートに保持することが可能となる。
【００２２】
本発明のチャイルドシートにあっては、該シートベルト挿通用の凹部に着脱部材を装着することにより、この凹部を埋め、袖壁部の上面を平坦なものとすることができる。また、幼児の体が小さいためにシートベルトを引き回しただけでは十分に幼児の体をチャイルドシートに保持できない場合には、シートベルトにインパクトシールドを装着し、このインパクトシールドとシートベルトとによって幼児の体をチャイルドシートに保持することができる。このインパクトシールドは、袖壁部の上面に載置することができる。この際、あらかじめ凹部に着脱部材を装着して袖壁部の上面を平坦なものとすることにより、インパクトシールドの一部が凹部に落ち込んでインパクトシールドが傾いた状態となることを防ぐことができ、この結果、インパクトシールドをチャイルドシートに設置した際の見栄えが良く、且つ設置後のインパクトシールドの安定性も高められる。
【００２３】
本発明のチャイルドシートにおいては、着脱部材は凹部に着脱自在である。このように構成したことにより、チャイルドシートに腰掛ける幼児の体の大きさに合わせて自在にこのチャイルドシートの使用態様を変えることができ、常に適切に幼児を保護することが可能となる。
【００２４】
本発明のチャイルドシートでは、この着脱部材はカバーで被覆されていることが好ましい。このカバー材としては、通常チャイルドシート本体を被覆するのに用いられるものと同様の、裏側にウレタンフォームが張り付けられたポリエステル生地等が好適である。このようなカバーによって着脱部材を覆うと、該着脱部材を前記凹部に設置した状況でこの着脱部材に幼児の体が触れても、肌触りがよく、幼児に不快感を与えることがない。
【００２５】
さらに、この着脱部材は前記袖壁部への係止手段を備えていることが好ましい。このように構成した場合には、着脱部材は、凹部に設置されたときにこの係止手段によってしっかりと固定される。
【００２６】
【発明の実施の形態】
以下、図面を参照して本発明の実施の形態について説明する。第１図は本発明の実施の形態に係るチャイルドシートのチャイルドシート本体の斜視図、第２図はこのチャイルドシートの使用時の一態様を示す斜視図、第３図は第２図のチャイルドシートの側面図、第４図は着脱部材を装着したチャイルドシート本体の斜視図、第５図はこのチャイルドシートの使用時の別の態様を示す斜視図、第６図は第５図のチャイルドシートの側面図、第７図はチャイルドシート本体と着脱部材との係合関係を示す要部斜視図、第８図は着脱部材の構成を示す分解斜視図である。
【００２７】
チャイルドシート１は、自動車の座席への固定設置手段（図示略）を有するチャイルドシート本体２と、チャイルドシート本体２の前面に設けられた幼児が座るための座部３と、この座部３の左右両側に配置され、チャイルドシート本体２の下部から上方に向って延出している１対の袖壁部４を備えている。
【００２８】
各袖壁部４には、その上面から、自動車の大人用シートベルト１０を挿通するための凹部５が凹設されている。
【００２９】
また、このチャイルドシート１は、この凹部５を埋める大きさの、凹部５と着脱可能に係合する一対の着脱部材６と、大人用シートベルト１０に保持されるインパクトシールド８を備えている。
【００３０】
着脱部材６は、第４図に示す通り、凹部５に装着されてこの凹部５を埋めた際に、その上面と袖壁部４の上面とが略面一となり、一連の平坦な上面を形成するように構成されている。また、第７図に示す通り、この着脱部材６の前部及び後部には、該着脱部材が凹部５に装着されたときにそれぞれ袖壁部４の該凹部５に臨んでいる前側及び後ろ側の各端部を挟持する１対の突片３４，３４及び突片３６，３６が設けられており、さらに、これらの突片３４，３４及び突片３６，３６と、袖壁部４の各突片が重なる部分とには、それぞれ互いに係合するホック３８，４０が取り付けられている。このため、着脱部材６は、凹部５への装着に際し、該突片３４，３４や突片３６，３６が袖壁部４の端部を挟持し、且つ各突片側のホック３８と袖壁部４側のホック４０とが互いに係合するように設置されることにより、袖壁部４に対してしっかりと固定される。
【００３１】
なお、この着脱部材６は、上記の突片３４，３６を有したカバー２２と、該カバー２２内に挿入された充填体２０とからなる。この充填体２０は、発泡合成樹脂等から構成されたブロック状の部材である。また、カバー２２は通常チャイルドシート本体のカバー材として用いられるものと同様の、裏側にウレタンフォームが張り付けられたポリエステル生地等から構成されている。
【００３２】
カバー２２は、充填体２０の上下面及び前後面を取り囲んで該充填体を保持するポケット部２４と、このポケット部２４の左右の側面を閉鎖する１対のフラップ状のサイドパネル２６，２８とを有している。
【００３３】
図示はしないが、この実施の形態では、各サイドパネル２６，２８の内部には、補強ないし保形材として適度な硬さ及び弾力を有する合成樹脂等から構成された板状部材が設けられている。このサイドパネル２６，２８の前部及び後部は、ポケット部２４の側面を閉鎖したときに、該ポケット部２４の前部及び後部から延出して前記の突片３４及び突片３６を構成する。
【００３４】
各サイドパネル２６，２８は、その上側の辺縁部がそれぞれポケット部２４の上側の左右の辺縁部と一体に連結されており、該上側の辺縁部を回動中心としてポケット部２４の側面に対し接離するように上下方向回動可能となっている。サイドプレート２６，２８が上方へ回動されるとポケット部２４はその側面が開放され、充填体２０を該ポケット部に対し出し入れすることが可能となる。サイドプレート２６，２８が下方へ回動されるとポケット部２４の側面が閉鎖される。
【００３５】
なお、各サイドパネル２６，２８の下部には、それぞれ軟質な舌片状の接続片３０，３２が設けられている。この接続片３０，３２には、マジックテープ（商品名）等の平面ファスナが設けられている。各サイドパネル２６，２８がポケット部２４の側面を閉鎖した状態でこれらの接続片３０，３２を互いに重ね合わせて接続させると、左右のサイドプレート２６，２８の下部同士が該接続片３０，３２を介して連結される。
【００３６】
インパクトシールド８は、座部３に座った幼児を大人用シートベルト１０によってチャイルドシート本体２に保持する際に、幼児の体が小さいためにこのシートベルト１０のみでは十分に幼児の体をチャイルドシート本体２に保持できない場合において、シートベルト１０の幼児の体と重なる部分に装着される。
【００３７】
インパクトシールド８は、車両の衝突時等の緊急時に幼児の体を受け止めて衝撃を吸収し、幼児を保護するクッション部８２と、インパクトシールド８の左右の両端部に設けられており、それぞれ袖壁部４の上端面に載置されてインパクトシールド８を支持するインパクトシールド支持部８４を有する。なお、第５図の符号８８はクッション部８２の前面側のカバーを示す。
【００３８】
各支持部８４の上部には、該自動車に設けられたシートベルト１０を通すための溝８６が設けられている。このインパクトシールド８を使用するにあたって、シートベルト１０をチャイルドシート本体２及び座部３に沿って引き回した際に、シートベルト１０の幼児の体と重なる部分をこの溝８６に挿通させる。
【００３９】
このように構成されたチャイルドシート１の使用例を以下に説明する。
【００４０】
チャイルドシート１を使用するにあたっては、まず、チャイルドシート本体２を前述の図示しない固定設置手段を用いて自動車の座席（図示略）に設置する。
このチャイルドシート本体２が自動車の座席にしっかりと固定されていることを確認した後、幼児をチャイルドシート本体２の座部３に座らせる。
【００４１】
幼児の体が比較的大きいときには、次のようにシートベルト１０を引き回す。
【００４２】
即ち、自動車の大人用シートベルト１０をチャイルドシート本体２及び座部３に座っている幼児の前面に沿って引き回し、シートベルト１０のタング１２を車両本体のシートベルト用バックル装置１４に接続する。このとき、シートベルト１０は、第２図及び第３図に示すように、幼児の下腹部及び胸部から肩口にかけての部位に配置される。
【００４３】
そして、シートベルト１０の、左右の袖壁部４，４と重なっている部分をそれぞれ凹部５に挿通し、シートベルト１０が幼児の体に沿って緊密に重なるように配置する。これにより、幼児の体はシートベルト１０により直接的にチャイルドシート本体２に保持される。
【００４４】
座部３に座った幼児の体が小さいために、大人用シートベルト１０では十分にこの幼児の体をチャイルドシート本体２に保持できない場合には、第４図に示すように、各凹部５に着脱部材６を装着して凹部５を埋めると共に、前述のように該着脱部材６を袖壁部４に対ししっかりと固定する。次いで、シートベルト１０の、幼児の体と重なる部分をインパクトシールド８の前面に設けられた溝８６に結合させ、このシートベルト１０をチャイルドシート本体２及び幼児の前面に沿って引き回し、タング１２をバックル装置１４に接続する。この際、インパクトシールド８を、第５，６図に示すように、袖壁部４，４間に跨がり、且つインパクトシールド８の両端側の各支持部８４が、それぞれ着脱部材６が装着された袖壁部４の平坦な上面上に載置されるように配置する。
【００４５】
その後、インパクトシールド８を袖壁部４の上面に沿ってチャイルドシート本体２の略前後方向にスライドさせ、インパクトシールド８のクッション部８２が幼児の腹部から胸部にかけて軽く接するようにインパクトシールド８の設置位置を調節する。これにより、幼児の体はインパクトシールド８及びシートベルト１０によってチャイルドシート本体２に保持される。
【００４６】
このようにチャイルドシート本体２に幼児を座らせ、シートベルト１０によって直接的に、或いは、インパクトシールド８及びシートベルト１０によって幼児の体をチャイルドシート１に保持した状態において、車両走行中に衝突等による衝撃が加えられた場合、慣性力によって幼児の体は座席に対して急激に前方へ移動して直接、或いはインパクトシールド８を介してシートベルト１０を押圧する。このとき、シートベルト１０が接続されているシートベルトリトラクタ（図示略）は、車両への衝撃、或いは幼児の体がシートベルト１０を前方へ押圧することに伴うシートベルト１０の急激な引き出し等を感知し、シートベルト１０が巻回されているリール（図示略）をロックして、シートベルト１０が引き出されるのを阻止する。これにより、シートベルト１０又はシートベルトに装着されたインパクトシールド８が幼児の体を受け止めて衝撃を吸収する。
【００４７】
幼児の体をシートベルト１０によって直接的にチャイルドシート本体２に保持した場合、シートベルト１０の、左右の袖壁部４，４と重なった部分は、それぞれ凹部５に挿通されているため、シートベルト１０は、袖壁部４に引っ掛かって幼児の体と離隔した状態で引き回されることはなく、幼児の体に緊密に重なるように配置されている。これにより、前述のような緊急時においても確実に幼児の体を保護することができる。
【００４８】
また、幼児の体をシートベルト１０及びインパクトシールド８によってチャイルドシート本体２に保持した場合、凹部５に着脱部材６が装着されたことにより袖壁部４の上面は平坦なものとなっており、このような袖壁部４の上面にインパクトシールド８を載置したことにより、インパクトシールド８は安定的に袖壁部４によって支えられている。これにより、前述のような緊急時においても確実に幼児の体を保護することができるとともに、チャイルドシートにインパクトシールドを設置した際の見栄えも良好なものとなっている。
【００４９】
なお、本発明のチャイルドシートにおいては、インパクトシールド設置時にシートベルト挿通用の凹部を埋めるための着脱部材の構成は、上記実施の形態の構成に限定されるものではない。例えば、次の第９〜１２図に示す着脱部材６Ａは、該着脱部材自身を袖壁部に固定する構造の他に、凹部に設置されたときに幼児が座る座部側とチャイルドシート本体の外側との空気の流通を許容する構造を備えたものである。なお、第９図はこの着脱部材６Ａのチャイルドシート本体への設置状況を示す斜視図であり、第１０図はこの着脱部材６Ａの本体部分の斜視図、第１１図はこの着脱部材６Ａの全体図、第１２図はこの着脱部材６Ａの本体部分の構成図である。
【００５０】
着脱部材６Ａは、着脱部材本体６１と、この着脱部材本体６１に被さっているカバー６２とからなる。着脱部材本体６１は、左半部６１ａ及び右半部６１ｂとを有し、これらの左半部６１ａ及び右半部６１ｂはヒンジ部６１ｃによって連結されている。着脱部材本体６１は合成樹脂等の材料よりなり、左半部６１ａ、右半部６１ｂ及びヒンジ部６１ｃは一体に成形されている。
【００５１】
第１２図に示す通り、左半部６１ａ及び右半部６１ｂは、それぞれ着脱部材本体６１の左右の側壁をなすパネル６３及び６４を有している。各パネル６３，６４には、それぞれ貫通孔よりなる通気口６５，６６が設けられている。また、各パネル６３，６４の周縁部には、それぞれパネル６３，６４の周囲を取り囲む周壁６７，６８が立設されており、この周壁６７，６８の一頂縁部同士がヒンジ部６１ｃにて連結されている。左半部６１ａと右半部６１ｂとは、ヒンジ部６３ｃを挟んで略対称形状にて成形されている。
【００５２】
着脱部材本体６１を組み立てるには、ヒンジ部６１ｃを回動中心とし、このヒンジ部６１ｃを折り曲げ、左半部６１ａ及び右半部６１ｂの各周壁６７，６８の対応する頂縁部同士を重ね合わせる。このとき、左半部６１ａの周壁６７の頂縁部から突設された爪６９と、右半部６１ｂの頂縁部付近に設けられた係止孔７０とが係合することにより、左半部６１ａと右半部６１ｂとが結合される。これにより、第１０図に示すような着脱部材本体６１が組み立てられる。
【００５３】
このようにして組み立てられた着脱部材本体６１は、中空の箱型の形状を有している。左右のパネル６３，６４に設けられた通気口６５，６６は、着脱部材本体６１の内部の中空部分を通じて互いに連通している。
【００５４】
また、第１０図に示すように、着脱部材本体６１の前部には、袖壁部４の凹部５に臨んでいる側の端部を挟持するための、左右のパネル６３，６４の延在方向に沿って前方に延出した一対の板状の突片７１，７２が設けられている。これらの突片７１，７２の向かい合う側の面同士の間隔は袖壁部４の厚さとほぼ等しいものとなっている。突片７１，７２の外側の面は、それぞれパネル６３，６４と略面一となっている。また、この突片７１，７２の外側の面には、それぞれカバー６２を固定するためのホック７３，７４が設けられている。
【００５５】
カバー６２は、着脱部材本体６１の全面を覆うように着脱部材本体６１に被さっており、このカバー６２に設けられたホック７５，７６（ホック７６は図示略。）が、それぞれ着脱部材本体６１側のホック７３，７４と係合することによって着脱部材本体６１に固定されている。また、このカバー６２はメッシュ状の編物や織布等の通気性に富んだ材料より作製されている。これにより、このカバー６２及び着脱部材本体６１の通気口６５，６６を通じて、着脱部材６Ａの左右両側の空気の移動が可能となっている。
【００５６】
このように構成された着脱部材６Ａは、インパクトシールド８使用時において、第９図に示すように凹部５に嵌め込まれ、この凹部５を埋める。この際、着脱部材６Ａの前部から延出した突片７１，７２が、袖壁部の凹部５に臨んでいる側の端部を挟持し、車両走行中の揺れや幼児の体の動き等によって着脱部材６Ａが凹部５から抜け落ちることを防止する。また、着脱部材６Ａの左右の側壁は、袖壁部４の内側及び外側の各側面の延在方向に沿って略面一に、且つ座部３及びチャイルドシート本体２の外部に臨むように配置される。
【００５７】
この着脱部材６Ａを用いると、カバー６２及び通気口６５，６６を通じて座部３とチャイルドシート本体２の外部との換気が可能となることから、左右の袖壁部４，４上にインパクトシールドが設置され、チャイルドシートの前面側が閉鎖されても幼児に不快感を与えることがない。
【００５８】
なお、この着脱部材６，６Ａは、左右兼用となっていてもよく、左右の凹部のいずれかに専属するものであってもよい。
【００５９】
【発明の効果】
以上詳述した通り、本発明のチャイルドシートによると、大人用シートベルトによって直接的に幼児をチャイルドシートに保持する場合において、確実にこのシートベルトを幼児の体に対して緊密に重なるように引き回すことが可能となる。また、シートベルトにインパクトシールドを装着してチャイルドシートに設置した際の見栄えが良く、且つ設置後のインパクトシールドの安定性も高いチャイルドシートを構成することもできる。
【図面の簡単な説明】
【図１】本発明の実施の形態に係るチャイルドシートのチャイルドシート本体の斜視図である。
【図２】本発明の実施の形態に係るチャイルドシートの使用時の一態様を示す斜視図である。
【図３】図２のチャイルドシートの側面図である。
【図４】着脱部材を装着したチャイルドシート本体の斜視図である。
【図５】本発明の実施の形態に係るチャイルドシートの使用時の別の態様を示す斜視図である。
【図６】図５のチャイルドシートの側面図である。
【図７】チャイルドシート本体と着脱部材との係合関係を示す要部斜視図である。
【図８】着脱部材の分解斜視図である。
【図９】実施の形態に係る着脱部材６Ａのチャイルドシート本体への係合状況を示す斜視図である。
【図１０】着脱部材６Ａの本体部分の斜視図である。
【図１１】着脱部材６Ａの全体図である。
【図１２】着脱部材６Ａの本体部分の構成図である。
【符号の説明】
１  チャイルドシート
２  チャイルドシート本体
３  座部
４  袖壁部
５  凹部
６，６Ａ  着脱部材
８  インパクトシールド
１０  シートベルト
２０  充填体
２２  カバー
３０，３２  接続片
３４，３６  突片
３８，４０  ホック
【図１】
0004572471.tif 000002
【図２】
0004572471.tif 000003
【図３】
0004572471.tif 000004
【図４】
0004572471.tif 000005
【図５】
0004572471.tif 000006
【図６】
0004572471.tif 000007
【図７】
0004572471.tif 000008
【図８】
0004572471.tif 000009
【図９】
0004572471.tif 000010
【図１０】
0004572471.tif 000011
【図１１】
0004572471.tif 000012
【図１２】
0004572471.tif 000013